(57)【特許請求の範囲】
【請求項１】
鍋を加熱するヒーターと、少なくとも前記鍋及びヒーターを収納する保護枠と、前記保護枠上端を保持する合成樹脂製のボディと、前記保護枠に締着したセンサー台には、前記鍋底部中央に接するセンサーを有し、前記ボディ及びセンサー台に固定された下枠と、前記センサー台の下方に位置しその上面に電源端子部を有するコードリールとを備え、前記センサー台の底面の外周より下方へ周壁の皿状のフランジ部はコードリールの電源部を覆う構成であり、前記電源端子部の高さよりも長い周壁の皿状フランジ部を有する炊飯器。
【請求項２】
保護枠の底面に配けられた数箇所の凸部にセンサー台を取り付けてなる請求項１記載の炊飯器。
【請求項３】
下枠をセンサー台に固定するためのネジ頭部の先端と床面との距離をコードリールの電源端子部とセンサー台の底面の隙間より狭くあるいは同等としてなる請求項１記載の炊飯器。
【発明の詳細な説明】
【０００１】
【発明の属する技術分野】
本発明は、一般家庭で使用される電気炊飯器に関するものである。
【０００２】
【従来の技術】
近年の電気炊飯器において、より安全で使い勝手のよいものが要求されている。従来、この種の電気炊飯器は図３に示すような構成が一般的であった。
【０００３】
以下、その構成について図３を参照にしながら説明する。図３において、米と水を入れる鍋１は、金属鋼板製の保護枠２に収納され、シーズヒーター３を鋳込んだアルミニウム製である炊飯ヒーター４の上に載置される。炊飯ヒーター４は、保護枠２の底面にネジ止めされる。上枠５は合成樹脂製であり、保護枠２の上端を保持している。６は断熱効果により保温性能をよくするために取り付けた金属鋼板製の遮熱枠で、保護枠２の周りを取り囲むように、保護枠２に底面でネジ止めされている。７は合成樹脂製のボディで、上枠５と嵌合され、さらに複数個のネジ８により、遮熱枠６に固定されている。９はボディ７の底面にネジ止めされたコードリールであり、リード線を介して炊飯ヒーター４や、温度センサをコントロールする基板ユニットへ電源を供給している。
【０００４】
上記構成において炊飯を開始すると、鍋１内温度を温度センサが感知し、シーズヒーター３を埋設した炊飯ヒーター４の加熱を基板ユニットがコントロールすることで、おいしいごはんを炊き上げることができる。
【０００５】
【発明が解決しようとする課題】
しかしながら上記従来の構成では、高温多湿などの悪環境下で長時間使用するなどの影響で基板ユニットが故障した場合、最悪自体として炊飯ヒーター４のコントロールが不能になり、炊飯ヒーター４が加熱され続ける状態となる。よって、合成樹脂製の上枠５やボディ７が、炊飯ヒーター４の高熱により溶け始め、保護枠１は上枠５により上端部を保持されているため、その保持力がなくなり鍋１ごと床面に落下してしまう。その時、コードリール９の上面に設けた電源端子部と遮熱枠６が接触するとスパークが発生する可能性等があった。
【０００６】
本発明は上記従来の問題点を解決するもので、電源端子部が短絡しにくい構造として安全な使用状態を保持可能な炊飯器を提供することを目的とする。
【０００７】
【課題を解決するための手段】
上記課題を解決するための本発明の炊飯器は、鍋を加熱するヒーターと、少なくとも前記鍋及びヒーターを収納する保護枠と、前記保護枠上端を保持する合成樹脂製のボディと、前記保護枠に締着したセンサー台と、前記ボディ及びセンサー台に固定された下枠と、前記センサー台の下方に位置しその上面に電源端子部を有するコードリールとを備え、前記センサー台は、前記電源端子部の高さよりも高い周壁の皿状フランジ部を有する中空体としてなるものである。
【０００８】
【発明の実施の形態】
請求項１、２、３記載の発明によれば、上枠が溶けて保護枠が落下してきても皿状に把持した不燃材に保護枠が当たり、コードリールの電源端子部には接触しないので、スパークが発生せず、ボディや下枠などの合成樹脂部材が溶けて変形するのみで、電源端子部の短絡等の事態を防ぐことができる。
【０００９】
【実施例】
（実施例１）
以下、本発明の第１の実施例について、図１を参照しながら説明する。図１において、１は米と水を入れる鍋で、金属鋼板製の保護枠２に収納され、シーズヒーター３を鋳込んだアルミニウム製である炊飯ヒーター４の上に載置される。炊飯ヒーター４は、保護枠２の底面にネジ止めされる。ボディ５は合成樹脂製であり、保護枠２の上端を保持している。６は金属鋼板製のセンサー台で、前記鍋１の底部中央に接するセンサー（図示省略）が中央に配置されており、皿状でセンサー台６底面と保護枠２底面とでネジ止めされている。７は合成樹脂製の下枠で、ボディ５と嵌合され、さらに複数個のネジ８により、センサー台６に固定されている。９は下枠の下方に配置され、下枠７の底面にネジ止めされたコードリールであり、リード線を介して炊飯ヒーター４や、ボディ５内の基板ユニットや温度センサーなどに電源を供給している。コードリール９から電源コードが引き出されてＡＣ１００Ｖ電源に接続される。前記鍋１の底部中央に接するセンサーが中央に配置されてたセンサー台６の底面の外周より下方へ周壁が皿状になりフランジ部６Ａを構成している。センサー台６の下方には、コードリール９が配置され、コードリール９の上面には電源端子部９Ａがあり、また不燃材で形成されたコードリール９上面の上方を前記センサー台６に設けた皿状フランジ部６Ａが覆う位置であり、センサー台６の底面の外周より下方へ周壁の皿状フランジ部６Ａの長さがコードリール９の上面の電源端子部９Ａの高さよりも長くなっている。
【００１０】
以上のように構成された電気炊飯器において、従来例でも説明したように基板ユニットが故障し炊飯ヒーター４のコントロールが不能になり、最悪事態として炊飯ヒーター４が加熱され続けてしまうという状態が発生した場合を説明する。そのままの状態で長時間放置されると、合成樹脂製のボディ５が溶け始め、保護枠１はボディ５により上端部を保持されているため、その保持力がなくなり鍋１ごと床面に落下してしまう。しかし、センサー台６が落下してきてもセンサー台６底面より下方へ周壁の皿状フランジ部が、不燃材で形成されたコードリール９上面に当たり、センサー台６の底面とコードリール９の電源端子部９Ａは接触しないので、スパークが発生せず、ボディ５や下枠７などの合成樹脂製部材が溶けて変形するのみで、炊飯器本体の安全性を保持することができる。
【００１１】
（実施例２）
さらに、本発明の第２の実施例について図１を参照しながら説明する。鍋１、保護枠２、シーズヒータ３、炊飯ヒータ４、ボディ５、センサー台６、下枠７、ネジ８、コードリール９は実施の形態１と同一であり説明を省略する。本実施の形態では、保護枠２の底面に数箇所の凸加工を施し、センサー台６を当接させている。センサー台６と保護枠２底面との間隔を広くしてある。
【００１２】
以上のように構成された電気炊飯器において、第１の実施の形態でも説明したように炊飯ヒーター４への通電がされたままとなり、加熱され続けてしまうという状態が発生した場合を説明する。そのままの状態で長時間放置されると、合成樹脂製のボディ５が溶け始め、保護枠１はボディ５により上端部を保持されているため、その保持力がなくなり鍋１ごと床面に落下してしまう。更に、センサー台６に複数個のネジ８で固定されている合成樹脂製の下枠７が著しく溶けて変形していまう。しかし、保護枠２が落下してきても、保護枠２の底面に数箇所の凸加工を施し、センサー台６を当接させている面積を少なくし、加熱され続けている炊飯ヒーター４の熱伝導を減少させつつ、保護枠２底面とセンサー台６との空間スペースを広くしてあるので、センサー台６が落下してきても下枠７などの合成樹脂製部材の溶けて変形する度合いが軽減でき、炊飯器本体の安全性を保持することができる。
【００１３】
（実施例３）
さらに、第３の実施例について図１、図２を参照しながら説明する。鍋１、保護枠２、シーズヒータ３、炊飯ヒータ４、ボディ５、センサー台６、下枠７、ネジ８、コードリール９は実施の形態１・２と同一であり説明を省略する。８はセンサー台６と下枠７を固定するネジであるが、図に示すようにネジ頭部と床面の距離Ｘが、コードリール９の電源端子部９Ａとセンサー台６の底面との隙間Ｙより狭くあるいは同じになるように、センサー台６の底面より下方への皿状フランジ部６Ａの長さを決定している。ネジ８は図には１箇所しか表示されていないが、少なくとも２箇所に同じ構成で複数個取り付ける。
【００１４】
以上のように構成された電気炊飯器において、第１、第２の実施の形態でも説明したように炊飯ヒーター４への通電がされたままとなり、加熱され続けてしまうという状態が発生した場合を説明する。そのままの状態で長時間放置されると、合成樹脂製のボディ５が溶け始め、保護枠１はボディ５により上端部を保持されているため、その保持力がなくなり鍋１ごと床面に落下してしまう。しかし、センサー台６が落下してきても、センサー台６に設けた皿状フランジ部６Ａが、不燃材で形成されたコードリール９上面に当たるが、コードリール電源端子部９Ａとセンサー台６の底面との隙間Ｙは、センサー台に設けた皿状フランジ部６Ａの長さが、コードリール電源端子部９Ａの高さよりも長くなっており、センサー台６の底面とコードリール９の電源端子部９Ａは接触しないので、スパークが発生することはない。
【００１５】
また、センサー台６の熱により下枠７が熱変形した場合、ネジ８の頭部が床面に当たるが、ネジ頭部と床面の距離Ｘは、コードリール９の電源端子部９Ａとセンサー台６の底面との隙間Ｙより狭くあるいは同じであることにより、センサー台６の底面とコードリール９の電源端子部９Ａは接触しないので、スパークが発生せず、ボディ５や下枠７などの合成樹脂製部材が溶けて変形するが転倒することもなく、炊飯器本体の安全性を保持することができる。
【００１６】
【発明の効果】
以上のように、請求項１記載の発明によれば、コードリールの電源端子部と金属製のセンサー台が当接しないようにセンサー台の底面の外周より下方へ周壁の皿状のフランジ部はコードリールの電源部を覆う構成にすることにより、基板ユニットが故障し炊飯ヒーターのコントロールが不能になり、最悪事態が発生し、合成樹脂製のボディが溶け始め、ボディが溶けて保護枠が落下してきても、皿状フランジ部が介在するため保護枠とセンサー台の底面とコードリールの電源端子部の接触を回避でき、炊飯器の安全性を保持することができる。
【００１７】
また、請求項２記載の発明によれば、保護枠の底面に数箇所の凸加工を施し、センサー台を当接させ接触面積を少なくしつつ、保護枠底面とセンサー台との空間スペースを広くすることにより、加熱され続けている炊飯ヒーターの熱伝導を減少させつつ、保護枠とセンサー台が落下してきても下枠などの合成樹脂製部材の溶けて変形する度合いが軽減でき、炊飯器本体の安全性を保持することができる。
【００１８】
また、請求項３記載の発明によれば、下枠をセンサー台の皿状フランジ部底面に固定する数箇所のネジ頭部先端と床面との距離を、コードリールの電源端子部とセンサー台の底面の隙間より狭くあるいは同等とすることにより、保護枠が落下してきても、保護枠とセンサー台の底面がコードリールの電源端子部に接触するまえに、ネジの頭部が床面に当たるため、保護枠とセンサー台の底面とコードリールの電源端子部の接触を回避でき、更に転倒を防止でき、炊飯器本体の安全性を保持することができる。
【図面の簡単な説明】
【図１】本発明の第１の実施例における炊飯器の断面図
【図２】本発明の第２の実施例における炊飯器の断面図
【図３】従来例の炊飯器の断面図
【符号の説明】
１    鍋
２    保護枠
３    シーズヒーター
４    炊飯ヒーター
５    ボディ
６    センサー台
６Ａ  センサー台に設けた皿状フランジ部
７    下枠
８    ネジ
９    コードリール
９Ａ  コードリール電源端子部
【図１】
0003543561.tif 000002
【図２】
0003543561.tif 000003
【図３】
0003543561.tif 000004